(57)【特許請求の範囲】
【請求項１】
データ送信を最適化するための方法であって、
ＵＥにおいて、ネットワークノードからメッセージを受信することと、ここにおいて、前記メッセージは、補助の第１の通信チャネルがデータを送信するために利用可能であるかどうかを示すインジケータを備え、前記補助の第１の通信チャネルは、アップリンクデータを送信するために利用可能な通信チャネルよりも高いデータ・レートを有する、
ネットワークからの前記メッセージにおける前記インジケータに基づいて前記補助の通信チャネルがデータの送信に利用可能であるかどうかを判定することと、
前記補助の通信チャネルが利用可能であると判定すると、前記通信チャネルの代わりに前記補助の通信チャネルを介して前記データを送信することと、
前記補助の通信チャネルが利用可能でないと判定すると、スリープ状態に入り、少なくとも部分的に、前記ネットワークノードからの前記メッセージにおける前記インジケータを周期的にモニタすることによって、後続のアウェイク期間中にデータを送信するために前記補助の通信チャネルが利用可能になったかどうかを判定することと、を備え、
スリープ状態に入り、後続のアウェイク期間中に前記補助の通信チャネルが利用可能になったかどうかを判定することは、前記補助の通信チャネルが利用可能になるまで、またはバックオフ・タイマーの満了まで行われる、方法。
【請求項２】
前記補助のチャネルおよび前記通信チャネルは、ＣＤＭＡ２０００  １ｘ通信システムにおけるチャネルである、請求項１に記載の方法。
【請求項３】
前記補助の第１の通信チャネルは前記通信チャネルよりも多くの電力を必要とする、請求項１に記載の方法。
【請求項４】
スリープ状態に入り、後続のアウェイク期間中に前記補助の第１の通信チャネルが利用可能になったかどうかを判定することは、前記補助の通信チャネルが利用可能になるまでデータ送信を遅延させることをさらに含む、請求項１に記載の方法。
【請求項５】
前記バックオフ・タイマーが満了し、前記補助の通信チャネルが利用可能になっていないことを判定すると、前記通信チャネルを介して前記データを送信することをさらに備える、請求項１に記載の方法。
【請求項６】
前記ネットワークノードからの前記メッセージは前記通信チャネルを介して受信される、請求項１に記載の方法。
【請求項７】
前記ネットワークノードからの前記メッセージは、前記補助の通信チャネルに関連付けられた、周期的に受信されたチャネルアベイラビリティメッセージを含む、請求項１に記載の方法。
【請求項８】
前記ネットワークノードからの前記メッセージは、ジェネラル・ページ・メッセージに付加されたフィールドにおいて周期的に受信される、請求項１に記載の方法。
【請求項９】
前記バックオフ・タイマーの値が、前記データを送信することを求める第１のマシンと、前記第１のマシンに関連付けられたサーバーとの間でネゴシエートされる、請求項１に記載の方法。
【請求項１０】
前記バックオフ・タイマーの値が、前記データの前記送信を遅延させることに関連した電力トレードオフの量の関数である、請求項１に記載の方法。
【請求項１１】
アベイラビリティについての前記補助の第１の通信チャネルの継続的なモニタリング、およびバックオフ期間について前記データの送信を遅延させることに関連した第１の電力値を計算することと、
前記補助の第１の通信チャネルが利用可能でないと判定すると、前記通信チャネルを介しての前記データの送信に関連した第２の電力値を計算することと、
電力トレードオフの前記量を決定するために、前記第１の電力値と前記第２の電力値を比較することと、
をさらに備える、請求項１０に記載の方法。
【請求項１２】
データ送信を最適化するための装置であって、
ＵＥにおいて、ネットワークノードからメッセージを受信するための手段と、ここにおいて、前記メッセージは、補助の通信チャネルがデータを送信するために利用可能であるかどうかを示すインジケータを備え、前記補助の通信チャネルは、アップリンクデータを送信するために利用可能な通信チャネルよりも高いデータ・レートを有する、
前記ネットワークノードからの前記メッセージにおける前記インジケータに基づいて前記補助の通信チャネルがデータの送信に利用可能であるかどうかを判定するための手段と、
前記補助の通信チャネルが利用可能であると判定すると、前記通信チャネルの代わりに前記補助の通信チャネルを介して前記データを送信するための手段と、
前記補助の通信チャネルが利用可能でないと判定すると、スリープ状態に入り、少なくとも部分的に、前記ネットワークノードからの前記メッセージにおける前記インジケータを周期的にモニタすることによって、後続のアウェイク期間中にデータを送信するために前記補助の通信チャネルが利用可能になったかどうかを判定するための手段と、を備え、
スリープ状態に入り、後続のアウェイク期間中に前記補助の通信チャネルが利用可能になったかどうかを判定することは、前記補助の通信チャネルが利用可能になるまで、またはバックオフ・タイマーの満了まで行われる、装置。
【請求項１３】
前記補助のチャネルおよび前記通信チャネルは、ＣＤＭＡ２０００  １ｘ通信システムにおけるチャネルである、請求項１２に記載の装置。
【請求項１４】
前記ネットワークノードからの前記メッセージは、前記補助の通信チャネルに関連付けられた、周期的に受信されたチャネルアベイラビリティメッセージを含む、請求項１２に記載の装置。
【請求項１５】
前記バックオフ・タイマーの値が、前記データの前記送信を遅延させることに関連した電力トレードオフの量の関数である、請求項１２に記載の装置。
【請求項１６】
データ送信を最適化するための装置であって、
ＵＥにおいて、ネットワークノードからメッセージを受信することと、ここにおいて、前記メッセージは、補助の通信チャネルがデータを送信するために利用可能であるかどうかを示すインジケータを備え、前記補助の通信チャネルは、アップリンクデータを送信するために利用可能な通信チャネルよりも高いデータ・レートを有する、
前記ネットワークノードからの前記メッセージにおける前記インジケータに基づいて前記補助の通信チャネルがデータの送信に利用可能であるかどうかを判定することと、
前記補助の通信チャネルが利用可能であると判定すると、前記通信チャネルの代わりに前記補助の通信チャネルを介して前記データを送信することと、
前記補助の通信チャネルが利用可能でないと判定すると、スリープ状態に入り、少なくとも部分的に、前記ネットワークノードからの前記メッセージにおける前記インジケータを周期的にモニタすることによって、後続のアウェイク期間中にデータを送信するために前記補助の通信チャネルが利用可能になったかどうかを判定することと、
を行うように構成された少なくとも１つのプロセッサであって、
スリープ状態に入り、後続のアウェイク期間中に前記補助の通信チャネルが利用可能になったかどうかを判定することは、前記補助の通信チャネルが利用可能になるまで、またはバックオフ・タイマーの満了まで行われる、少なくとも１つのプロセッサと、
前記少なくとも１つのプロセッサに結合されたメモリと
を備える、装置。
【請求項１７】
前記補助のチャネルおよび前記通信チャネルは、ＣＤＭＡ２０００  １ｘ通信システムにおけるチャネルである、請求項１６に記載の装置。
【請求項１８】
前記補助の通信チャネルは前記通信チャネルよりも多くの電力を必要とする、請求項１６に記載の装置。
【請求項１９】
スリープ状態に入るように構成された、後続のアウェイク期間中に前記補助の通信チャネルが利用可能になったかどうかを判定する前記少なくとも１つのプロセッサは、前記補助の通信チャネルが利用可能になるまでデータ送信を遅延させるように構成された少なくとも１つのプロセッサをさらに含む、請求項１６に記載の装置。
【請求項２０】
前記少なくとも１つのプロセッサは、前記バックオフ・タイマーが満了し、前記補助の通信チャネルが利用可能になっていないことを判定すると、前記通信チャネルを介して前記データを送信するようにさらに構成される、請求項１６に記載の装置。
【請求項２１】
前記ネットワークノードからの前記メッセージは前記通信チャネルを介して受信される、請求項１６に記載の装置。
【請求項２２】
前記ネットワークノードからの前記メッセージは前記補助の通信チャネルに関連付けられた、周期的に受信されたチャネルアベイラビリティメッセージを含む、請求項１６に記載の装置。
【請求項２３】
前記ネットワークノードからの前記メッセージはジェネラル・ページ・メッセージに付加されたフィールドにおいて周期的に受信される、請求項１６に記載の装置。
【請求項２４】
前記バックオフ・タイマーの値が、前記データを送信することを求める第１のマシンと、前記第１のマシンに関連付けられたサーバーとの間でネゴシエートされる、請求項１６に記載の装置。
【請求項２５】
前記バックオフ・タイマーの値が、前記データの前記送信を遅延させることに関連した電力トレードオフの量の関数である、請求項１６に記載の装置。
【請求項２６】
前記少なくとも１つのプロセッサは、
アベイラビリティについての前記補助の通信チャネルの継続的なモニタリング、およびバックオフ期間についてデータの送信を遅延させることに関連した第１の電力値を計算することと、
前記補助の通信チャネルが利用可能でないと判定すると、前記通信チャネルを介しての前記データの送信に関連した第２の電力値を計算することと、
電力トレードオフの量を決定するために、前記第１の電力値と前記第２の電力値を比較することと、
を行うようにさらに構成される、請求項１６に記載の装置。
【請求項２７】
ＵＥにおいて、ネットワークノードからメッセージを受信することと、ここにおいて、前記メッセージは、補助の通信チャネルがデータを送信するために利用可能であるかどうかを示すインジケータを備え、前記補助の通信チャネルは、アップリンクデータを送信するために利用可能な通信チャネルよりも高いデータ・レートを有する、
前記ネットワークノードからの前記メッセージにおける前記インジケータに基づいて前記補助の通信チャネルがデータの送信に利用可能であるかどうかを判定することと、
前記補助の通信チャネルが利用可能であると判定すると、前記通信チャネルの代わりに前記補助の通信チャネルを介して前記データを送信することと、
前記補助の通信チャネルが利用可能でないと判定すると、スリープ状態に入り、少なくとも部分的に、前記ネットワークノードからの前記メッセージにおける前記インジケータを周期的にモニタすることによって、後続のアウェイク期間中にデータを送信するために前記補助の通信チャネルが利用可能になったかどうかを判定することと、
のためのコードを備え、
スリープ状態に入り、後続のアウェイク期間中に前記補助の通信チャネルが利用可能になったかどうかを判定することは、前記補助の通信チャネルが利用可能になるまで、またはバックオフ・タイマーの満了まで行われる、コンピュータ可読記憶媒体。
【請求項２８】
前記補助のチャネルおよび前記通信チャネルは、ＣＤＭＡ２０００  １ｘ通信システムにおけるチャネルである、請求項２７に記載のコンピュータ可読記憶媒体。
【請求項２９】
前記ネットワークノードからの前記メッセージは、前記補助の通信チャネルに関連付けられた、周期的に受信されたチャネルアベイラビリティメッセージを含む、請求項２７に記載のコンピュータ可読記憶媒体。
【請求項３０】
前記バックオフ・タイマーの値が、前記データの前記送信を遅延させることに関連した電力トレードオフの量の関数である、請求項２７に記載のコンピュータ可読記憶媒体。
【請求項３１】
前記バックオフ・タイマーが満了し、前記補助の通信チャネルが利用可能になっていないことを判定すると、前記通信チャネルを介して前記データを送信するための手段をさらに備える、請求項１２に記載の装置。
【請求項３２】
前記バックオフ・タイマーが満了し、前記補助の通信チャネルが利用可能になっていないことを判定すると、前記通信チャネルを介して前記データを送信するためのコードをさらに備える、請求項２７に記載のコンピュータ可読記憶媒体。
【発明の詳細な説明】
【技術分野】
【０００１】
[0001]本願は、本願の譲受人に譲渡された、参照により本願に明確に組み込まれる、「高速データ・チャネルのアベイラビリティ（High-Speed Data Channel Availability）」と題された２０１２年３月３０日出願の米国仮出願第６１／６１８，４９８号の優先権を主張する。
【０００２】
[0002]本願で説明される技術は、一般に、ワイヤレス通信システムに関し、より詳細には、マシンツーマシン通信のための高速データ・チャネルのアベイラビリティを判定することに関する。本発明の特徴は、電力効率の良い通信を可能にし、提供することである。
【背景技術】
【０００３】
[0003]ワイヤレス通信ネットワークは、電話通信、ビデオ、データ、メッセージング、放送などの種々の通信サービスを提供するために広く展開されている。このようなネットワークは、通常は多元接続ネットワークであるが、利用可能なネットワーク・リソースを共有することによってマルチプルなユーザーのための通信をサポートしている。このようなネットワークの一例は、ＵＭＴＳ地上波無線アクセス・ネットワーク（ＵＴＲＡＮ：UMTS Terrestrial Radio Access Network）である。ＵＴＲＡＮは、第３世代パートナーシップ・プロジェクト（３ＧＰＰ：3rd Generation Partnership Project）によってサポートされる第３世代（３Ｇ）移動体電話技術である、ユニバーサルモバイルテレコミュニケーションシステム（ＵＭＴＳ：Universal Mobile Telecommunications System）の一部として定義される無線アクセス・ネットワーク（ＲＡＮ：radio access network）である。ＵＭＴＳは、グローバル・システム・フォー・モバイル・コミュニケーションズ（ＧＳＭ（登録商標））技術の後継であるが、現在は、広帯域符号分割多元接続（Ｗ−ＣＤＭＡ）、時分割符号分割多元接続（ＴＤ−ＣＤＭＡ）、および時分割同期符号多元接続（ＴＤ−ＳＣＤＭＡ）など、様々なエアインターフェイス規格をサポートしている。ＵＭＴＳはまた、関連するＵＭＴＳネットワークにより高いデータ転送速度および容量を提供する、高速パケット・アクセス（ＨＳＰＡ）などの拡張３Ｇデータ通信プロトコルもサポートする。
【０００４】
[0004]モバイルブロードバンドアクセスに関する需要が増大し続けるにつれて、モバイルブロードバンドアクセスに関する高まる需要を満たすためだけではなく、移動体通信によるユーザー・エクスペリエンスを前進させ、向上させるために、ＵＭＴＳ技術を進歩させるための研究開発が続いている。
【発明の概要】
【０００５】
[0005]以下では、ここに記載の技術の基本的理解を提供するために、本開示のいくつかの態様を要約する。この要約は、本開示の企図されるすべての特徴の広範な概要ではなく、本開示のすべての態様の主なまたは重要な要素を識別したり、本開示の一部または全部の態様の範囲を記述したりすることが意図されたものでもない。唯一の目的は、後で提示されるより詳細な説明の序文として、要約形式で本開示の１つまたは複数の態様のいくつかの概念を提示することである。
【０００６】
[0006]１つまたは複数の態様および対応する開示によれば、データ送信を最適化するためのシステムおよび方法が記述される。例えば、これらに限定するものではないが、マシンツーマシン（Ｍ２Ｍ）デバイスは、データを送信するために開始メッセージ（origination message）で補助チャネル（ＳＣＨ：supplemental channel）へのアクセスを要求する場合がある。しかし、補助チャネルは、通常、データを送信するために基本チャネル（ＦＣＨ：fundamental channel）よりも高いデータ・レートを有しており、利用不可能な場合がある。通常のＭ２Ｍデバイスは、ＳＣＨよりもＦＣＨの方が同じ量のデータを送信するためにより多くの時間を費やし、より長い時間期間にわたってモデムをオンにし続けることによって、デバイスにより多くの電力を使用させる場合がある。このような訳で、Ｍ２Ｍは、電力を節約するためにＳＣＨのアベイラビリティについて通知される場合がある。Ｍ２Ｍが送信すべきデータを有する時にＳＣＨが利用可能でない場合、Ｍ２Ｍは、スリープ・モードに入り、スケジュールされた次のアウェイク期間中に再度、アベイラビリティをチェックすることができる。Ｍ２Ｍは、設定可能なバックオフ期間の間、このスリープおよびチェックのサイクルを繰り返しうる。バックオフ期間は、ＳＣＨが利用可能になるのをデバイスが待機することが許容される時間期間またはサイクル数を示しうる。バックオフ期間が満了してもまだＳＣＨが利用可能ではない場合、Ｍ２Ｍは、その時に、当該送信がＦＣＨの使用を必要とする場合であっても、データを送信しうる。
【０００７】
[0007]一態様では、データ送信を最適化するための方法が記述される。方法は、第１の通信チャネルのアベイラビリティを示すインジケータの受信を含みうるもので、第１の通信チャネルは、第２の通信チャネルよりも高いデータ・レートを有している。方法は、インジケータに基づいて第１の通信チャネルがデータを送信するために利用可能であるかどうかを判定することを含みうる。方法は、第１の通信チャネルが利用可能であると判定すると、第１の通信チャネルを介してデータを送信することを含みうる。方法は、第１の通信チャネルが利用可能でないと判定するとスリープ状態に入り、後続のアウェイク期間中に第１の通信チャネルが利用可能になったかどうかを判定することを含みうる。一例では、スリープ状態に入り、後続のアウェイク期間中に第１の通信チャネルが利用可能になったかどうかを判定することは、第１の通信チャネルが利用可能になるまで、またはバックオフ・タイマーの満了まで起こりうる。
【０００８】
[0008]一態様では、データ送信を最適化するための装置が記述される。装置は、第１の通信チャネルのアベイラビリティを示すインジケータを受信するための手段を含みうるもので、第１の通信チャネルは、第２の通信チャネルよりも高いデータ・レートを有している。装置は、インジケータに基づいて第１の通信チャネルがデータを送信するために利用可能であるかどうかを判定するための手段を含みうる。装置は、第１の通信チャネルが利用可能であると判定すると、第１の通信チャネルを介してデータを送信するための手段を含みうる。装置は、第１の通信チャネルが利用可能でないと判定すると、スリープ状態に入って、後続のアウェイク期間中に第１の通信チャネルが利用可能になったかどうかを判定するための手段を含みうる。一例では、スリープ状態に入り、後続のアウェイク期間中に第１の通信チャネルが利用可能になったかどうかを判定することは、第１の通信チャネルが利用可能になるまで、またはバックオフ・タイマーの満了まで起こりうる。
【０００９】
[0009]一態様では、データ送信を最適化するための装置が記述される。装置は、少なくとも１つのプロセッサと、少なくとも１つのプロセッサに結合されたメモリとを含みうる。少なくとも１つのプロセッサは、第１の通信チャネルのアベイラビリティを示すインジケータを受信するように構成されうるもので、第１の通信チャネルは、第２の通信チャネルよりも高いデータ・レートを有している。少なくとも１つのプロセッサは、インジケータに基づいて第１の通信チャネルがデータを送信するために利用可能であるかどうかを判定するように構成されうる。少なくとも１つのプロセッサは、第１の通信チャネルが利用可能であると判定すると、第１の通信チャネルを介してデータを送信するように構成されうる。少なくとも１つのプロセッサは、第１の通信チャネルが利用可能でないと判定すると、スリープ状態に入って、後続のアウェイク期間中に第１の通信チャネルが利用可能になったかどうかを判定し、第１の通信チャネルが利用可能になるまで、またはバックオフ・タイマーの満了まで、スリープ状態に入って、後続のアウェイク期間中に第１の通信チャネルが利用可能になったかどうかを判定するように構成されうる。一例では、スリープ状態に入って、後続のアウェイク期間中に第１の通信チャネルが利用可能になったかどうかを判定することは、第１の通信チャネルが利用可能になるまで、またはバックオフ・タイマーの満了まで起こりうる。
【００１０】
[0010]一態様では、データ送信を最適化するためのコンピュータ・プログラム製品が記述される。コンピュータ・プログラム製品は、コードを含みうる、非一時的コンピュータ可読媒体を含みうる。コードは、第１の通信チャネルのアベイラビリティを示すインジケータを受信するためのものであり得、第１の通信チャネルは、第２の通信チャネルよりも高いデータ・レートを有している。コードは、インジケータに基づいて第１の通信チャネルがデータを送信するために利用可能であるかどうかを判定するためのものでありうる。コードは、第１の通信チャネルが利用可能であると判定すると、第１の通信チャネルを介してデータを送信するためのものでありうる。コードは、第１の通信チャネルが利用可能でないと判定するとスリープ状態に入り、後続のアウェイク期間中に第１の通信チャネルが利用可能になったかどうかを判定するためのものでありうる。一例では、スリープ状態に入り、後続のアウェイク期間中に第１の通信チャネルが利用可能になったかどうかを判定することは、第１の通信チャネルが利用可能になるまで、またはバックオフ・タイマーの満了まで起こりうる。
【００１１】
[0011]一態様では、データ送信を最適化するための方法が記述される。方法は、第１の通信チャネルのアベイラビリティを示すインジケータを周期的に送信することを含みうるもので、第１の通信チャネルは、第２の通信チャネルよりも高いデータ・レートを有している。方法は、第１の通信チャネルへのアクセスを求める要求を受信することを含みうる。方法は、要求を送信したデバイスに関連付けられたクラス値に基づいて第１の通信チャネルへのアクセスを許可すべきかどうかを判定することを含みうる。
【００１２】
[0012]一態様では、データ送信を最適化するための装置が記述される。装置は、第１の通信チャネルのアベイラビリティを示すインジケータを周期的に送信するための手段を含みうるもので、第１の通信チャネルは、第２の通信チャネルよりも高いデータ・レートを有している。装置は、第１の通信チャネルへのアクセスを求める要求を受信するための手段を含みうる。装置は、要求を送信したデバイスに関連付けられたクラス値に基づいて第１の通信チャネルへのアクセスを許可すべきかどうかを判定するための手段を含みうる。
【００１３】
[0013]一態様では、データ送信を最適化するための装置が記述される。装置は、少なくとも１つのプロセッサと、少なくとも１つのプロセッサに結合されたメモリとを含みうる。少なくとも１つのプロセッサは、第１の通信チャネルのアベイラビリティを示すインジケータを周期的に送信するように構成されうるもので、第１の通信チャネルは、第２の通信チャネルよりも高いデータ・レートを有している。少なくとも１つのプロセッサは、第１の通信チャネルへのアクセスを求める要求を受信するように構成されうる。少なくとも１つのプロセッサは、要求を送信したデバイスに関連付けられたクラス値に基づいて第１の通信チャネルへのアクセスを許可すべきかどうかを判定するように構成されうる。
【００１４】
[0014]一態様では、データ送信を最適化するためのコンピュータ・プログラム製品が記述される。コンピュータ・プログラム製品は、コードを含みうる、非一時的コンピュータ可読媒体を含みうる。コードは、第１の通信チャネルのアベイラビリティを示すインジケータを周期的に送信するためのものであり得、第１の通信チャネルは、第２の通信チャネルよりも高いデータ・レートを有している。コードは、第１の通信チャネルへのアクセスを求める要求を受信するためのものであり得る。コードは、要求を送信したデバイスに関連付けられたクラス値に基づいて第１の通信チャネルへのアクセスを許可すべきかどうかを判定するためのものであり得る。
【００１５】
[0015]本発明の他の態様、特徴、および実施形態は、添付図面とともに本発明の特定の例示的実施形態についての以下の説明を検討すれば、当業者には明らかになるであろう。本発明の特徴は以下の特定の実施形態および図面に関連して説明されるが、本発明のすべての実施形態は、本明細書で説明される有利な特徴のうちの１つまたは複数を含みうる。言い換えれば、１つまたは複数の実施形態が特定の有利な特徴を有するものとして説明されうるが、このような特徴のうちの１つまたは複数はまた、本明細書で説明される発明の様々な実施形態に従っても使用されうる。同様に、例示的実施形態がデバイス、システム、または方法の実施形態として以下で説明されるが、このような例示的実施形態は種々のデバイス、システム、および方法において実装されうることを理解されたい。
【図面の簡単な説明】
【００１６】
【図１】図１は、いくつかの実施形態による処理システムを採用する装置のためのハードウェア実装形態の一例を示す図である。
【図２】図２は、いくつかの実施形態による遠隔通信システムの一例を示す図である。
【図３】図３は、いくつかの実施形態によるアクセス・ネットワークの一例を示す図である。
【図４】図４は、いくつかの実施形態によるユーザー・プレーンおよび制御プレーンに関する無線プロトコル・アーキテクチャの一例を示す図である。
【図５】図５は、いくつかの実施形態とともに採用されうる例示的ワイヤレスネットワーク環境を示す図である。
【図６】図６は、いくつかの実施形態による遠隔通信システムのＵＥと通信するノードＢの一例を示す図である。
【図７】図７は、いくつかの実施形態によるデータ送信を最適化するための例示的方法を示す図である。
【図８】図８は、いくつかの実施形態によるＵＥとノードＢとの間の例示的通信セッションを示す図である。
【図９】図９は、いくつかの実施形態によるＵＥとノードＢとの間の例示的通信セッションを示す別の図である。
【図１０】図１０は、いくつかの実施形態によるデータ送信を最適化するための例示的方法を示す別の図である。
【図１１】図１１は、いくつかの実施形態によるＵＥによる通信のための例示的方法を示す図である。
【発明を実施するための形態】
【００１７】
[0027]添付図面に関連して以下で述べられる詳細な説明は、種々の構成の一説明として意図されており、本明細書で説明される概念が実施しうる唯一の構成を表すことを意図したものではない。詳細な説明は、種々の概念の徹底的な理解を提供することの目的のために、特定の詳細を含んでいる。しかし、これらの概念がこれらの特定の詳細がなくても実施されうることは、当業者には明らかになるであろう。いくつかの例では、このような概念を曖昧にすることを避けるため、よく知られた構造およびコンポーネントがブロック図形式で示されている。
【００１８】
[0028]図１は、処理システム１１４を採用する装置１００のハードウェア実装形態の一例を示すブロック図であり、装置１００は、本明細書で説明されるように、図６のユーザー機器（ＵＥ）６１０および／またはノードＢ６２０、あるいはそれらのそれぞれの機能的コンポーネントを含みうる。言い換えれば、一態様では、処理システム１１４を採用する装置１００は、ＵＥ６１０の通信コンポーネント６１２、チャネルアベイラビリティコンポーネント６１４、メッセージ遅延コンポーネント６１６、および電力管理コンポーネント６１８を実行することによってデータ送信を最適化するように構成されうる。代替的に、または追加的に、処理システム１１４を採用する装置１００は、ノードＢ６２０の通信コンポーネント６２２を実行することによってデータ送信を最適化するように構成されうる。この例では、処理システム１１４は、大まかにバス１０２により表された、バス・アーキテクチャを用いて実装されうる。バス１０２は、処理システム１１４の特定の用途および全体的な設計制約に応じて、任意の数の相互接続バスおよびブリッジを含みうる。バス１０２は、大まかにプロセッサ１０４により表された、１つまたは複数のプロセッサ、および大まかにコンピュータ可読媒体１０６により表された、コンピュータ可読媒体を含む、種々の回路を互いにリンクさせる。バス１０２は、また、タイミング・ソース、周辺機器、電圧レギュレータ、および電力管理回路などの他の種々の回路もリンクさせうるが、これらは当業者にはよく知られているのでこれ以上は説明しない。バス・インターフェイス１０８は、バス１０２とトランシーバ１１０との間にインターフェイスを提供する。トランシーバ１１０は、伝送媒体を通じて種々の他の装置と通信するための手段を提供する。装置の性質に応じて、ユーザー・インターフェイス１１２（例えば、キーバッド、ディスプレイ、スピーカー、マイクロフォン、ジョイスティック）も設けられうる。
【００１９】
[0029]プロセッサ１０４は、バス１０２の管理、およびコンピュータ可読媒体１０６に格納されたソフトウェアの実行を含む、一般的な処理を担う。ソフトウェアは、プロセッサ１０４によって実行されると、処理システム１１４に、特定の任意の装置について以下で記述される種々の機能を実行させる。コンピュータ可読媒体１０６は、また、ソフトウェアを実行するときに、プロセッサ１０４によって操作されるデータを格納するためにも使用されうる。
【００２０】
[0030]この開示全体で提示される種々の概念は、多種多様な遠隔通信システム、ネットワーク・アーキテクチャ、および通信規格にわたって実装されうる。
【００２１】
[0031]図２を参照すると、限定するものではなく一例として、本開示の態様が、Ｗ−ＣＤＭＡエアインターフェイスを採用するＵＭＴＳシステム２００に関連して提示されており、これは、例えば本明細書で記載するようにそれらのそれぞれの機能的コンポーネントを含めた、図６のＵＥ６１０および／またはノードＢ６２０と同じまたは同様のものであり得る、１つまたは複数のＵＥ２１０および１つまたは複数のノードＢ２０８を含みうる。ＵＭＴＳネットワークは、コア・ネットワーク（ＣＮ）２０４、ＵＭＴＳ地上波無線アクセス・ネットワーク（ＵＴＲＡＮ）２０２、およびユーザー機器（ＵＥ）２１０という、３つの相互作用ドメインを含む。この例では、ＵＴＲＡＮ２０２は、電話通信、ビデオ、データ、メッセージング、放送および／または他のサービスを含む、種々のワイヤレスサービスを提供する。ＵＴＲＡＮ２０２は、ＲＮＳ２０７などの複数の無線ネットワーク・サブシステム（ＲＮＳ：Radio Network Subsystems）を含みうるもので、各々はＲＮＣ２０６などのそれぞれの無線ネットワーク・コントローラ（ＲＮＣ：Radio Network Controller）により制御される。ここで、ＵＴＲＡＮ２０２は、本明細書で説明されるＲＮＣ２０６およびＲＮＳ２０７に加えて、任意の数のＲＮＣ２０６およびＲＮＳ２０７を含みうる。ＲＮＣ２０６は、特に、ＲＮＳ２０７内の無線リソースの割り当て、再構成、および解放を行う役割のある装置である。ＲＮＣ２０６は、任意の適切な転送ネットワークを使用する、直接物理接続、仮想ネットワークなどの種々のタイプのインターフェイスを通じて、ＵＴＲＡＮ２０２の他のＲＮＣ（図示せず）と相互接続されうる。
【００２２】
[0032]ＵＥ２１０とノードＢ２０８との間の通信は、物理（ＰＨＹ）層および媒体アクセス制御（ＭＡＣ）層を含むものとして見なされうる。さらに、それぞれのノードＢ２０８を経由したＵＥ２１０とＲＮＣ２０６との間の通信は、無線リソース制御（ＲＲＣ）層を含むものとして見なされうる。ここでの仕様では、ＰＨＹ層は層１と見なすことができ、ＭＡＣ層は層２と見なすことができ、ＲＲＣ層は層３と見なすことができる。以下の情報では、参照によって本明細書に引用したものとされる、ＲＲＣプロトコル仕様、３ＧＰＰ  ＴＳ  ２５．３３１  ｖ９．１．０で紹介された用語を用いる。
【００２３】
[0033]ＲＮＳ２０７によってカバーされる地理的領域は、無線トランシーバ装置が各セルにサービスする、いくつかのセルに分割されうる。無線トランシーバ装置は、ＵＭＴＳアプリケーションでは一般的にノードＢと呼ばれるが、当業者には、基地局（ＢＳ）、基地送受信局（ＢＴＳ）、無線基地局、無線トランシーバ、送受信機能、基本サービス・セット（ＢＳＳ）、拡張サービス・セット（ＥＳＳ）、アクセスポイント（ＡＰ）、または他の何らかの適した用語でも呼ばれうる。明確にするために、各ＲＮＳ２０７には３つのノードＢ２０８が示されているが、ＲＮＳ２０７は任意の数のワイヤレスノードＢを含みうる。ノードＢ２０８は、任意の数の移動体装置のためにＣＮ２０４にワイヤレスアクセスポイントを提供する。移動体装置の例は、携帯電話、スマート・フォン、セッション初期化プロトコル（ＳＩＰ）フォン、ラップトップ、ノートブック、ネットブック、スマートブック、携帯情報端末（ＰＤＡ）、衛星無線機、全地球測位システム（ＧＰＳ）デバイス、マルチメディア・デバイス、ビデオ・デバイス、デジタル・オーディオ・プレーヤー（例えば、ＭＰ３プレーヤー）、カメラ、ゲーム・コンソール、または他のいずれかの同様の機能のデバイスを含む。移動体装置は、ＵＭＴＳアプリケーションでは一般的にＵＥと呼ばれるが、当業者には、移動局、加入者局、モバイルユニット、加入者ユニット、ワイヤレス・ユニット、リモート・ユニット、モバイルデバイス、ワイヤレス・デバイス、ワイヤレス通信デバイス、リモート・デバイス、移動加入者局、アクセス端末、モバイル端末、ワイヤレス端末、リモート端末、ハンドセット、端末、ユーザー・エージェント、モバイルクライアント、クライアント、または他の何らかの適した用語でも呼ばれうる。ＵＭＴＳシステムでは、ＵＥ２１０はさらに、ネットワークへのユーザーの加入情報を含む、ユニバーサル加入者識別モジュール（ＵＳＩＭ）２１１も含みうる。説明の目的で、いくつかのノードＢ２０８と通信する１つのＵＥ２１０が示されている。順方向リンクとも呼ばれるＤＬは、ノードＢ２０８からＵＥ２１０への通信リンクを指し、逆方向リンクとも呼ばれるＵＬは、ＵＥ２１０からノードＢ２０８への通信リンクを指す。
【００２４】
[0034]ＣＮ２０４は、ＵＴＲＡＮ２０２などの１つまたは複数のアクセス・ネットワークとインターフェイスする。示されているように、ＣＮ２０４はＧＳＭコア・ネットワークである。しかし、当業者が認識するように、この開示全体で提示される種々の概念は、ＧＳＭネットワーク以外のタイプのＣＮへのアクセスをＵＥに提供するために、ＲＡＮまたは他の適したアクセス・ネットワークで実装されうる。
【００２５】
[0035]ＣＮ２０４は、回路交換（ＣＳ）ドメインおよびパケット交換（ＰＳ）ドメインを含む。回路交換要素のいくつかは、移動サービス交換局（ＭＳＣ）、ビジター位置レジスター（ＶＬＲ）、およびゲートウェイＭＳＣである。パケット交換要素は、サービングＧＰＲＳサポート・ノード（ＳＧＳＮ）およびゲートウェイＧＰＲＳサポート・ノード（ＧＧＳＮ）を含む。ＥＩＲ、ＨＬＲ、ＶＬＲ、およびＡｕＣのような一部のネットワーク要素は、回路交換およびパケット交換ドメインの両方によって共有されうる。ここに示された例では、ＣＮ２０４はＭＳＣ２１２とＧＭＳＣ２１４による回路交換サービスをサポートする。一部のアプリケーションでは、ＧＭＳＣ２１４は、媒体ゲートウェイ（ＭＧＷ：media gateway）と呼ばれうる。ＲＮＣ２０６などの１つまたは複数のＲＮＣは、ＭＳＣ２１２と接続されうる。ＭＳＣ２１２は、コール・セットアップ、コール・ルーティング、およびＵＥモビリティ機能を制御する装置である。ＭＳＣ２１２はまた、ＵＥがＭＳＣ２１２のカバレッジエリアの中にある持続時間について、加入者に関連する情報を含んだＶＬＲを含む。ＧＭＳＣ２１４は、ＵＥが回路交換ネットワーク２１６にアクセスするための、ＭＳＣ２１２を通じたゲートウェイを提供する。ＧＭＳＣ２１４は、特定のユーザーが加入しているサービスの詳細を反映するデータなどの加入者データを含むホームロケーションレジスター（ＨＬＲ）２１５を含む。ＨＬＲはまた、加入者固有の認証データを含む認証センター（ＡｕＣ）に関連付けられる。特定のＵＥに関してコールが受信されると、ＧＭＳＣ２１４は、ＨＬＲ２１５に問い合わせてＵＥの位置を決定し、その位置にサービスする特定のＭＳＣにコールを転送する。
【００２６】
[0036]ＣＮ２０４はまた、サービングＧＰＲＳサポート・ノード（ＳＧＳＮ）２１８およびゲートウェイＧＰＲＳサポート・ノード（ＧＧＳＮ）２２０によりパケットデータ・サービスもサポートする。ＧＰＲＳは、汎用パケット無線サービス（General Packet Radio Service）を表し、標準的な回路交換データ・サービスで利用可能なものよりも高い速度でパケットデータ・サービスを提供するように設計されている。ＧＧＳＮ２２０は、パケットベース・ネットワーク２２２へのＵＴＲＡＮ２０２に関する接続を提供する。パケットベース・ネットワーク２２２は、インターネット、プライベート・データ・ネットワーク、または他の何らかの適したパケットベース・ネットワークでありうる。ＧＧＳＮ２２０の主要な機能は、ＵＥ２１０にパケットベースのネットワーク接続性を提供することである。データ・パケットは、ＳＧＳＮ２１８を通じてＧＧＳＮ２２０とＵＥ２１０との間で転送され、これは、主に、ＭＳＣ２１２が回路交換ドメインにおいて行うのと同じ機能をパケットベース・ドメインで行う。
【００２７】
[0037]ＵＭＴＳに関するエアインターフェイスは、スペクトラム拡散直接シーケンス符号分割多元接続（ＤＳ−ＣＤＭＡ）システムを利用しうる。スペクトラム拡散ＤＳ−ＣＤＭＡは、チップ（chips）と呼ばれる疑似ランダム・ビットの配列による乗算によってユーザー・データを拡散する。ＵＭＴＳに関する「広帯域」Ｗ−ＣＤＭＡエアインターフェイスは、このような直接シーケンス・スペクトラム拡散技術に基づくもので、さらに追加的に周波数分割複信（ＦＤＤ）を必要とする。ＦＤＤは、ノードＢ２０８とＵＥ２１０との間のＵＬおよびＤＬについて異なる搬送波周波数を使用する。ＤＳ−ＣＤＭＡを用い、時分割複信（ＴＤＤ）を使用する、ＵＭＴＳに関する別のエアインターフェイスは、ＴＤ−ＳＣＤＭＡエアインターフェイスである。当業者ならば、本明細書で記述された種々の例がＷ−ＣＤＭＡエアインターフェイスを参照しうるが、基本原理はＴＤ−ＳＣＤＭＡエアインターフェイスにも同様に適用可能でありうることが認識されよう。
【００２８】
[0038]ＨＳＰＡエアインターフェイスは、３Ｇ／Ｗ−ＣＤＭＡエアインターフェイスに対する一連の拡張（enhancement）を含み、より大きなスループットおよび低減されたレイテンシを促進する。従前のリリースに対する他の変更の中で、ＨＳＰＡは、ハイブリッド自動再送要求（ＨＡＲＱ）、共有チャネル送信、ならびに適応変調およびコーディングを利用する。ＨＳＰＡを定義する規格は、ＨＳＤＰＡ（高速ダウンリンク・パケット・アクセス）およびＨＳＵＰＡ（高速アップリンク・パケット・アクセス、拡張アップリンクまたはＥＵＬとも呼ばれる）を含む。
【００２９】
[0039]ＨＳＤＰＡは、その転送チャネルとして、高速ダウンリンク共有チャネル（ＨＳ−ＤＳＣＨ）を利用する。ＨＳ−ＤＳＣＨは、高速物理ダウンリンク共有チャネル（ＨＳ−ＰＤＳＣＨ）、高速共有制御チャネル（ＨＳ−ＳＣＣＨ）、および高速専用物理制御チャネル（ＨＳ−ＤＰＣＣＨ）という３つの物理チャネルによって実装される。
【００３０】
[0040]これらの物理チャネルの中で、ＨＳ−ＤＰＣＣＨは、対応するパケット伝送の復号が成功したかどうかを示すために、アップリンクでＨＡＲＱ  ＡＣＫ／ＮＡＣＫシグナリングを搬送する。すなわち、ダウンリンクに関して、ＵＥ２１０は、ダウンリンクでパケットを正しく復号したかどうかを示すために、ＨＳ−ＤＰＣＣＨを通じてノードＢ２０８にフィードバックを提供する。
【００３１】
[0041]ＨＳ−ＤＰＣＣＨはさらに、変調およびコーディング・スキームならびにプリコーディング重みの選択に関して正しい決定を行う際に、ノードＢ２０８を支援するために、ＵＥ２１０からのフィードバック・シグナリングも含み、このフィードバック・シグナリングはＣＱＩおよびＰＣＩを含んでいる。
【００３２】
[0042]「ＨＳＰＡエボルブド（ESPA Evolved）」またはＨＳＰＡ＋は、ＭＩＭＯおよび６４−ＱＡＭを含むＨＳＰＡ規格の発展型であり、増大したスループットおよびより高いパフォーマンスを可能にする。すなわち、本開示の一形態では、ノードＢ２０８および／またはＵＥ２１０は、ＭＩＭＯ技術をサポートするマルチプルなアンテナを有しうる。ＭＩＭＯ技術の使用は、ノードＢ２０８が空間ドメインを使用して、空間多重、ビームフォーミング、および送信ダイバーシティをサポートできるようにする。
【００３３】
[0043]多入力多出力（ＭＩＭＯ）は、マルチアンテナ技術、すなわち、マルチプルな送信アンテナ（チャネルへの多入力）およびマルチプルな受信アンテナ（チャネルからの多出力）を指すために一般的に使用される用語である。ＭＩＭＯシステムは、一般に、データ送信パフォーマンスを強化して、ダイバーシティ利得がマルチパス・フェージングを低減させ送信品質を向上させること、ならびに空間多重利得がデータ・スループットを増大させることを可能にする。
【００３４】
[0044]空間多重は、同じ周波数で同時にデータの異なるストリームを送信するために使用されうる。データ・ストリームは、データ・レートを増やすために単一のＵＥ２１０に送信されることができ、または全体的なシステム容量を増やすためにマルチプルなＵＥ２１０に送信されることができる。これは、各データ・ストリームを空間的にプリコーティングし、次いで、ダウンリンクで異なる送信アンテナを通じて空間的にプリコーティングされた各ストリームを送信することによって達成される。空間的にプリコーティングされたデータ・ストリームは、異なる空間シグネチャでＵＥ２１０に到着し、それにより、ＵＥ２１０のそれぞれは、当該ＵＥ２１０に宛てられた１つまたは複数のデータ・ストリームを復元することができる。アップリンクで、各ＵＥ２１０は、１つまたは複数の空間的にプリコーティングされたデータ・ストリームを送信でき、それにより、ノードＢ２０８は、空間的にプリコーティングされた各データ・ストリームのソースを識別することができる。
【００３５】
[0045]空間多重は、チャネル条件が良好のときに使用されうる。チャネル条件があまり良好でないときには、１つまたは複数の方向に送信エネルギーを集中させるため、またはチャネルの特性に基づいて送信を改善するために、ビームフォーミングが使用されうる。これは、マルチプルなアンテナを通じた送信のためにデータ・ストリームを空間的にプリコーディングすることによって達成されうる。セルのエッジにおいて良好なカバレッジを達成するために、単一ストリームビームフォーミング送信が送信ダイバーシティと組み合わせて使用されうる。
【００３６】
[0046]一般的に、ｎ個の送信アンテナを利用するＭＩＭＯシステムでは、ｎ個のトランスポートブロックが、同じチャネライゼーション・コードを利用して同じ搬送波で同時に送信されうる。ｎ個の送信アンテナを通じて送信される異なるトランスポートブロックは、互いに同じまたは異なる変調およびコーディング・スキームを有しうることに留意されたい。
【００３７】
[0047]他方、単一入力多出力（ＳＩＭＯ）は、一般的に、単一の送信アンテナ（チャネルへの単一入力）およびマルチプルな受信アンテナ（チャネルからのマルチプルな出力）を利用するシステムを指す。したがって、ＳＩＭＯシステムでは、単一のトランスポートブロックがそれぞれの搬送波で送信される。
【００３８】
[0048]図３を参照すると、ＵＴＲＡＮアーキテクチャにおけるアクセス・ネットワーク３００は、１つまたは複数のＵＥおよび１つまたは複数のノードＢを含むことができ、それらは、例えば本明細書で記述されたようにそれぞれの機能的コンポーネントを含めた、図６のＵＥ６１０および／またはノードＢ６２０と同じまたは同様のものでありうる。多元接続ワイヤレス通信システムは、それぞれが１つまたは複数のセクターを含みうる、セル３０２、３０４、および３０６を含む、マルチプルなセルラー領域（セル）を含んでいる。マルチプルなセクターは、複数のアンテナのグループによって形成されることができ、各アンテナは、セルの一部分におけるＵＥとの通信を担う。例えば、セル３０２では、アンテナ・グループ３１２、３１４、および３１６がそれぞれ異なるセクターに対応しうる。セル３０４では、アンテナ・グループ３１８、３２０、および３２２がそれぞれ異なるセクターに対応しうる。セル３０６では、アンテナ・グループ３２４、３２６、および３２８がそれぞれ異なるセクターに対応しうる。セル３０２、３０４、および３０６は、各セル３０２、３０４、または３０６の１つまたは複数のセクターと通信しうる、例えばユーザー機器またはＵＥなどのいくつかのワイヤレス通信デバイスを含みうる。例えば、ＵＥ３３０および３３２はノードＢ３４２と通信し、ＵＥ３３４および３３６はノードＢ３４４と通信し、ＵＥ３３８および３４０はノードＢ３４６と通信しうる。ここで、各ノードＢ３４２、３４４、３４６は、それぞれのセル３０２、３０４、および３０６においてすべてのＵＥ３３０、３３２、３３４、３３６、３３８、３４０のためにＣＮ２０４（図２を参照）へのアクセスポイントを提供するように構成されている。
【００３９】
[0049]ＵＥ３３４がセル３０４内の図示された位置からセル３０６に移動すると、サービング・セルの変更（ＳＣＣ：serving cell change）またはハンドオーバーが発生し、ＵＥ３３４との通信が、ソース・セルと呼ばれうるセル３０４から、ターゲット・セルと呼ばれうるセル３０６へ移行する。ハンドオーバー手順の管理は、ＵＥ３３４において、それぞれのセルに対応するノードＢにおいて、無線ネットワーク・コントローラ２０６において（図２を参照）、またはワイヤレスネットワーク内の別の好適なノードにおいて、行われうる。例えば、ソース・セル３０４によるコールの間、または他の任意の時点で、ＵＥ３３４は、ソース・セル３０４の種々のパラメータに加え、セル３０６および３０２などの近隣のセルの種々のパラメータもモニタしうる。さらに、これらのパラメータの品質に応じて、ＵＥ３３４は１つまたは複数の近隣のセルとの通信を維持しうる。この時間の間、ＵＥ３３４は、アクティブ・セット、つまり、ＵＥ３３４が同時に接続されるセルのリストを維持しうる（すなわち、ダウンリンク専用物理チャネルＤＰＣＨまたはフラクショナル・ダウンリンク専用物理チャネルＦ−ＤＰＣＨをＵＥ３３４に現在割り当てているＵＴＲＡセルは、アクティブ・セットを構成しうる）。
【００４０】
[0050]アクセス・ネットワーク３００によって採用される変調および多元接続スキームは、展開されている特定の通信規格に応じて異なりうる。一例として、規格には、エボリューションデータオプティマイズド（ＥＶ−ＤＯ）またはウルトラモバイルブロードバンド（ＵＭＢ）が含まれる。ＥＶ−ＤＯおよびＵＭＢは、ＣＤＭＡ２０００ファミリーの規格の一部として第３世代パートナーシップ・プロジェクト２（３ＧＰＰ２）により公表されたエアインターフェイス規格であり、移動局への広帯域インターネット・アクセスを提供するためにＣＤＭＡを採用する。規格は、代替的に、広帯域ＣＤＭＡ（Ｗ−ＣＤＭＡ）およびＣＤＭＡの他の変形形態（ＴＤ−ＳＣＤＭＡなど）を採用するユニバーサル地上波無線アクセス（ＵＴＲＡ）、ＴＤＭＡを採用するグローバル・システム・フォー・モバイル・コミュニケーションズ（ＧＳＭ）、ならびに、ＯＦＤＭＡを採用する、エボルブドＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭでありうる。ＵＴＲＡ、Ｅ−ＵＴＲＡ、ＵＭＴＳ、ＬＴＥ、ＬＴＥアドバンスト、およびＧＳＭは、３ＧＰＰ団体からの文書に記述されている。ＣＤＭＡ２０００およびＵＭＢは３ＧＰＰ２団体からの文書に記述されている。採用される実際のワイヤレス通信規格および多元接続技術は、特定の用途およびシステムに課される全体の設計制約により異なる。
【００４１】
[0051]無線プロトコル・アーキテクチャは、特定の用途に応じて種々の形態をとり得る。次に、ＨＳＰＡシステムの一例が図４を参照して提示される。
【００４２】
[0052]図４を参照すると、一例の無線プロトコル・アーキテクチャ４００が、ＵＥまたはノードＢ／基地局のユーザー・プレーン４０２および制御プレーン４０４に関係しており、これらは、例えば、本明細書で記述されたようにそれぞれの機能的コンポーネントを含めた、図６のＵＥ６１０および／またはノードＢ６２０と同じまたは同様のものでありうる。例えば、アーキテクチャ４００はＵＥに含まれうる。ＵＥおよびノードＢについての無線プロトコル・アーキテクチャ４００は、層１  ４０６、層２  ４０８、および層３  ４１０という３つの層を備えて示されている。層１  ４０６は、最も下側の層であり、種々の物理層の信号処理機能を実装する。したがって、層１  ４０６は物理層４０７を含む。層２（Ｌ２層）４０８は、物理層４０７の上方にあり、物理層４０７によるＵＥとノードＢ間のリンクを担う。層３（Ｌ３層）４１０は無線リソース制御（ＲＲＣ）副層４１５を含む。ＲＲＣ副層４１５は、ＵＥとＵＴＲＡＮとの間の層３の制御プレーン・シグナリングを取り扱う。
【００４３】
[0053]ユーザー・プレーンでは、Ｌ２層４０８は、媒体アクセス制御（ＭＡＣ）副層４０９、無線リンク制御（ＲＬＣ）副層４１１、およびパケット・データ・コンバージェンス・プロトコル（ＰＤＣＰ）４１３副層を含み、これらはネットワーク側のノードＢで終端される。示されていないが、ＵＥは、Ｌ２層４０８の上方に、ネットワーク側のＰＤＮゲートウェイで終端されるネットワーク層（例えば、ＩＰ層）、および接続の他端（遠端ＵＥ、サーバなど）で終端するアプリケーション層を含む、いくつかの上層を有しうる。
【００４４】
[0054]ＰＤＣＰ副層４１３は、異なるワイヤレスベアラと論理チャネルとの間で多重化を提供する。ＰＤＣＰ副層４１３はまた、無線送信オーバーヘッドを低減するために上層データ・パケットに関するヘッダ圧縮、データ・パケットの暗号化によるセキュリティ、およびノードＢ間でのＵＥに関するハンドオーバー・サポートも提供する。ＲＬＣ副層４１１は、上層データ・パケットのセグメンテーションおよびリアセンブリ、失われたデータ・パケットの再送信、およびハイブリッド自動再送要求（ＨＡＲＱ）に起因する順序が乱れた受信を補償するためのデータ・パケットの並べ換えを提供する。ＭＡＣ副層４０９は、論理チャネルと転送チャネルとの間に多重化を提供する。ＭＡＣ副層４０９はまた、ＵＥの中で１つのセルにおける様々な無線リソース（例えば、リソース・ブロック）を割り当てる役割もある。ＭＡＣ副層４０９はまた、ＨＡＲＱ動作も担う。
【００４５】
[0055]図５は、ＵＥ５５０と通信するノードＢ５１０のブロック図であり、これらは、例えば本明細書で記述されたようにそれぞれの機能的コンポーネントを含めた、図６のＵＥ６１０および／またはノードＢ６２０と同じまたは同様のものでありうる。ダウンリンク通信では、送信プロセッサ５２０は、データ・ソース５１２からのデータおよびコントローラ／プロセッサ５４０からの制御信号を受信しうる。送信プロセッサ５２０は、データおよび制御信号のほか、基準信号（例えば、パイロット信号）に対して様々な信号処理機能を提供する。例えば、送信プロセッサ５２０は、誤り検出のための巡回冗長検査（ＣＲＣ）コード、順方向誤り訂正（ＦＥＣ）を促進するためのコーディングおよびインターリービング、種々の変調スキーム（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation）など）に基づいた信号コンスタレーションへのマッピング、直交可変拡散係数（ＯＶＳＦ：orthogonal variable spreading factors）での拡散、ならびに一連のシンボルを生成するためのスクランブリング・コードでの乗算（multiplying）を提供しうる。チャネル・プロセッサ５４４からのチャネル推定値は、送信プロセッサ５２０についてコーディング、変調、拡散および／またはスクランブリング・スキームを決定するためにコントローラ／プロセッサ５４０によって使用されうる。これらのチャネル推定値は、ＵＥ５５０によって送信された基準信号またはＵＥ５５０からのフィードバックから取得されうる。送信プロセッサ５２０によって生成されるシンボルは、フレーム構造を作り出すために、送信フレーム・プロセッサ５３０に提供される。送信フレーム・プロセッサ５３０は、コントローラ／プロセッサ５４０からの情報でシンボルを多重化して、一連のフレームを生み出すことによって、このフレーム構造を作り出す。次いで、フレームは送信装置５３２に提供され、送信機５３２は、アンテナ５３４を通じたワイヤレス媒体によるダウンリンク送信のために、フレームの増幅、フィルタリング、および搬送波上への変調を含む種々の信号調整機能を提供する。アンテナ５３４は、例えば、ビーム・ステアリング双方向適応アンテナ・アレイまたは他の同様のビーム技術を含む、１つまたは複数のアンテナを含みうる。
【００４６】
[0056]ＵＥ５５０において、受信機５５４は、アンテナ５５２を通じてダウンリンク伝送を受信し、その伝送を処理して、搬送波上に変調された情報を復元する。受信機５５４により復元された情報は、受信フレーム・プロセッサ５６０に提供され、受信フレーム・プロセッサ５６０は、各フレームをパースして、フレームからの情報をチャネル・プロセッサ５９４に、データ、制御、および基準信号を受信プロセッサ５７０に提供する。次いで、受信プロセッサ５７０は、ノードＢ５１０において送信プロセッサ５２０によって行われた処理の逆を行う。より詳細には、受信プロセッサ５７０は、シンボルをスクランブル解除および逆拡散し、次いで、変調・スキームに基づきノードＢ５１０によって送信される最も可能性の高い信号コンスタレーションポイントを決定する。これらの軟判定は、チャネル・プロセッサ５９４によって計算されたチャネル推定値に基づきうる。次いで、軟判定は、データ、制御、および基準信号を復元するために、復号およびデインタリーブされる。次いで、ＣＲＣコードが、フレームの復号が成功したかどうかを判定するためにチェックされる。次いで、復号が成功したフレームによって搬送されるデータは、データ・シンク５７２に提供され、それは、ＵＥ５５０で実行されているアプリケーションおよび／または種々のユーザー・インターフェイス（例えば、ディスプレイ）を表す。復号が成功したフレームによって搬送される制御信号は、コントローラ／プロセッサ５９０に提供される。受信プロセッサ５７０によるフレームの復号が成功しなかったときには、コントローラ／プロセッサ５９０はまた、当該フレームに関する再送信要求をサポートするために、肯定応答（ＡＣＫ）および／または否定応答（ＮＡＣＫ）プロトコルを使用しうる。
【００４７】
[0057]アップリンクでは、データ・ソース５７８からのデータおよびコントローラ／プロセッサ５９０からの制御信号は、送信プロセッサ５８０に提供される。データ・ソース５７８は、ＵＥ５５０で実行されているアプリケーションおよび種々のユーザー・インターフェイス（例えば、キーボード）を表しうる。ノードＢ５１０によるダウンリンク送信に関連して記述された機能と同様に、送信プロセッサ５８０は、ＣＲＣコード、ＦＥＣを促進するためのコーディングおよびインターリービング、信号コンスタレーションへのマッピング、ＯＶＳＦによる拡散、ならびに一連のシンボルを生み出すためのスクランブリングを含む、種々の信号処理機能を提供する。ノードＢ５１０によって送信された基準信号から、またはノードＢ５１０によって送信されたミッドアンブルに含まれるフィードバックから、チャネル・プロセッサ５９４により得られるチャネル推定値は、適切なコーディング、変調、拡散および／またはスクランブリング・スキームを選択するために使用されうる。送信プロセッサ５８０によって生成されるシンボルは、フレーム構造を作り出すために送信フレーム・プロセッサ５８２に提供される。送信フレーム・プロセッサ５８２は、コントローラ／プロセッサ５９０からの情報でシンボルを多重化することによってこのフレーム構造を作り出し、結果として一連のフレームになる。次いで、フレームは送信機５５６に提供され、送信機５５６は、アンテナ５５２を通じたワイヤレス媒体によるアップリンク送信のための、フレームの増幅、フィルタリング、および搬送波上への変調を含む、種々の信号調整機能を提供する。
【００４８】
[0058]アップリンク送信は、ＵＥ５５０での受信機能に関連して記述されたものと同様の形でノードＢ５１０において処理される。受信機５３５は、アンテナ５３４を通じてアップリンク伝送を受信し、その伝送を処理して、搬送波上に変調された情報を復元する。受信機５３５により復元された情報は、受信フレーム・プロセッサ５３６に提供され、受信フレーム・プロセッサ５３６は、各フレームをパースして、フレームからの情報をチャネル・プロセッサ５４４に、データ、制御、および基準信号を受信プロセッサ５３８に提供する。受信プロセッサ５３８は、ＵＥ５５０において送信プロセッサ５８０によって行われた処理の逆の処理を行う。次いで、復号が成功したフレームによって搬送されるデータおよび制御信号は、データ・シンク５３９およびコントローラ／プロセッサにそれぞれ提供されうる。フレームの一部が受信プロセッサによる復号に成功しなかった場合、コントローラ／プロセッサ５４０はさらに、当該フレームに関する再送信要求をサポートするために、肯定応答（ＡＣＫ）および／または否定応答（ＮＡＣＫ）プロトコルも使用しうる。
【００４９】
[0059]コントローラ／プロセッサ５４０および５９０は、ノードＢ５１０およびＵＥ５５０それぞれにおいて動作を指示するために使用されうる。例えば、コントローラ／プロセッサ５４０および５９０は、タイミング、周辺インターフェイス、電圧調節、電力管理、および他の制御機能を含む、種々の機能を提供しうる。メモリ５４２および５９２のコンピュータ可読媒体は、ノードＢ５１０およびＵＥ５５０それぞれのためのデータおよびソフトウェアを格納しうる。ノードＢ５１０におけるスケジューラ／プロセッサ５４６は、リソースをＵＥに割り当て、ＵＥに関するダウンリンクおよび／またはアップリンク伝送をスケジュールするために使用されうる。
【００５０】
[0060]次に図６に移ると、ノードＢ６２０との通信のためのＵＥ６１０を含む通信システム６００が示されており、ここで、ＵＥ６１０および／またはノードＢ６２０はデータ送信を最適化するように構成されている。いくつかの態様によれば、ＵＥ６１０は、マシンツーマシン（Ｍ２Ｍ）通信のために構成されうる。ＵＥ６１０は、ノードＢ６２０へのデータの送信およびノードＢ６２０からのデータの受信を行うように構成された通信コンポーネント６１２を含みうる。通信コンポーネント６１２は、例えば、ＣＤＭＡ２０００  １ｘ通信システムの補助チャネル（ＳＣＨ）など、より高いレートの通信チャネルのアベイラビリティを示すインジケータを受信するように構成されうる。通信コンポーネント６１２はさらに、ＳＣＨおよび／または基本チャネル（ＦＣＨ）を要求するノードＢ６２０への開始メッセージ（origination message）を送信するように構成されうる。
【００５１】
[0061]ＵＥ６１０はまた、ＳＣＨなどのより高いレートの通信チャネルが利用可能であるかどうかを判定するように構成された、チャネルアベイラビリティ判定コンポーネント６１４も含みうる。いくつかの態様では、チャネルアベイラビリティ判定コンポーネント６１４は、ノードＢ６２０から受信された、ＳＣＨチャネルアベイラビリティ情報メッセージなどのチャネルアベイラビリティ情報メッセージを周期的にモニタするように構成されうる。ＵＥ６１０はまた、ＳＣＨのアベイラビリティに基づいて送信されるべきデータが遅延されうるかどうかを判定するための、メッセージ遅延コンポーネント６１６も含みうる。例えば、メッセージ遅延コンポーネント６１６は、送信されるべきデータがスケジュールどおりに送信されなければならない時間的制約のあるデータかどうかを判定するように構成されうる。いくつかの態様では、メッセージ遅延コンポーネント６１６は、ＳＣＨが利用可能になるのを待つ間、ＵＥ６１０がデータの送信を遅延させることを許される最大時間量を示す、バックオフ・タイマーを開始および停止するように構成されうる。
【００５２】
[0062]いくつかの態様では、ＵＥ６１０は、データの送信の遅延に関連付けられた電力消費を評価するように構成された電力管理コンポーネント６１８を備えて構成されうる。例えば、電力管理コンポーネント６１８は、アベイラビリティについてより高いデータ・レート通信チャネルのモニタを継続し、バックオフ期間についてデータの送信を遅延させることに関連した第１の電力値を計算するように構成されうる。電力管理コンポーネント６１８はまた、より高いデータ・レートのチャネルが利用可能ではないときに、より低いデータ・レートのチャネル（ＦＣＨなど）を使用してデータを送信することに関連した第２の電力値を計算することもできる。電力管理コンポーネント６１８は、電力トレードオフ値を判定するために、コンピュータ電力値を比較するメトリックを使用するように構成されうる。
【００５３】
[0063]ノードＢ６２０は、第１の、より高いデータ・レートのチャネルのアベイラビリティを示すインジケータを周期的に送信するように構成された通信コンポーネント６２２を含みうる。いくつかの態様では、インジケータは、周期的に送信される、ＵＥがそれをモニタするように構成された、専用のＳＣＨアベイラビリティメッセージを介して送信されうる。他の態様では、インジケータは、ＳＣＨアベイラビリティをシグナリングするための、新しいフィールドが追加（added）または付加（appended）された、ジェネラル・ページ・メッセージ（ＧＰＭ）を介して通信されうる。通信コンポーネント６２２はまた、ＵＥ６１０からチャネル・アクセスに関する要求を受信するようにも構成されうる。さらに、通信コンポーネント６２２は、例えば、ＵＥ６１０などの要求を送信したデバイスに関連付けられたクラス値に基づき、第１の通信チャネルへのアクセスを許可すべきかどうかを判定するように構成されうる。
【００５４】
[0064]図７は、いくつかの態様による、これだけに限定するものではないがＭ２Ｍデバイスのデータ送信などのデータ送信を最適化するための方法７００を図示している。方法７００は、例えば、図６で示されたＵＥ６１０などのＵＥによって行われうる。７０２で示されているように、ＵＥは第１の通信チャネルのアベイラビリティを示すインジケータを受信しうる。例えば、ＵＥ６１０の通信コンポーネント６１２は、第１の通信チャネルのアベイラビリティを示すインジケータをノードＢ６２０の通信コンポーネント６２２から受信しうる。いくつかの態様によると、第１の通信チャネルは、第２の通信チャネルよりも高いデータ・レートを有するチャネルである。例えば、通信システムがＣＤＭＡ２０００  １ｘ通信システムである場合、第１の通信チャネルは、補助チャネルであり得、第２の通信チャネルは、基本チャネルであり得る。
【００５５】
[0065]７０４で示されているように、ＵＥは、第１のインジケータに基づいて第１の通信チャネルがデータを送信するために利用可能であるかどうかを判定しうる。例えば、ＵＥ６１０のチャネルアベイラビリティ判定コンポーネント６１２は、本明細書で記述しているように、第１のインジケータに基づいて第１の通信チャネルがデータの送信に利用可能であるかどうかを判定するように実行しうる。
【００５６】
[0066]７０６で示されているように、ＵＥは、利用可能であると判定すると、第１の通信チャネルを介してデータを送信しうる。たとえば、本明細書で記述されるように、ＵＥ６１０の通信コンポーネント６１２は、利用可能であると判定すると、第１の通信チャネルを介してデータを送信しうる。
【００５７】
[0067]７０８で示されているように、第１の通信チャネルが利用可能でないと判定すると、ＵＥは、スリープ状態に入り、後続のアウェイク期間中に第１のチャネルが利用可能になったかどうかを再度判定しうる。例えば、ＵＥ６１０のメッセージ遅延コンポーネント６１６は、ＵＥ６１０がスリープ状態に入り得ることを判定することができ、チャネルアベイラビリティ判定コンポーネント６１２は、後続のアウェイク期間中に第１の通信チャネルが利用可能であるかどうかを判定することができる。いくつかの態様では、ＵＥは、第１の通信チャネルが利用可能になるのを待つのに費やされる時間量を制限するために、バックオフ・タイマーを使用しうる。例えば、ＵＥ６１０のメッセージ遅延コンポーネント６１６は、ＳＣＨが利用可能になるのを待つ間、ＵＥ６１０がデータの送信を遅延させることを許される最大時間量を示すバックオフ・タイマーを開始および停止するように構成されうる。
【００５８】
[0068]次に図８を見ると、ＵＥ６１０などの移動局（ＭＳ）とノードＢ６２０などの基地局との間の例示的な通信セッションを表すコール・フロー８００が示されている。図８に示される例は、ＣＤＭＡ２０００  １ｘ通信システムにおける通信を示す。しかし、他の通信システムも使用されうる。８０２で示されているように、ＵＥ６１０は、スケジュールされたとおりにデータを送信するために通信チャネルにアクセスすることを決定しうる。例えば、Ｍ２Ｍデバイスはデータを周期的に送信するように構成されうる。８０４で示されているように、ＵＥ６１０は補助チャネル（ＳＣＨ）アベイラビリティ情報メッセージを受信しうる。この例では、ＳＣＨアベイラビリティ情報メッセージは、ＳＣＨが利用可能でないことを示す、ゼロに設定されたＳＣＨアベイラビリティビットを有する。いくつかの態様では、ＳＣＨアベイラビリティ情報メッセージは、周期的に送信される、ＵＥ６１０がそれをモニタするように構成された、専用のＳＣＨアベイラビリティメッセージを備える。他の態様では、ＳＣＨアベイラビリティメッセージは、ＳＣＨアベイラビリティをシグナリングするための、新しいフィールドが追加または付加された、ジェネラル・ページ・メッセージ（ＧＰＭ）を備えうる。
【００５９】
[0069]８０６で示されているように、ＳＣＨが利用可能でないと判定すると、ＵＥ６１０はバックオフを実行する。例えば、ＵＥ６１０は、スリープ状態に入り、送信を遅延させる許容される時間間隔を示すためにバックオフ・タイマーが開始される。８０８で示されているように、次のアウェイク期間中に、ＵＥ６１０は、別のＳＣＨアベイラビリティ情報メッセージを受信しうる。この例では、ＳＣＨのアベイラビリティがここで１に設定されて、ＳＣＨが利用可能であることを示す。８１０で示されているように、ＵＥ６１０は、ＳＣＨアベイラビリティのナレッジを更新して、ＳＣＨにアクセスする。８１２で示されているように、ＵＥ６１０およびノードＢ６２０は、ＳＣＨでメッセージを交換する。
【００６０】
[0070]図９は、ＵＥ６１０などの移動局（ＭＳ）と、ノードＢ６２０などの基地局との間の別の例示的通信セッションを表す別のコール・フロー９００を図示している。図９で示されている例は、ＣＤＭＡ２０００  １ｘ通信システムにおける通信を示す。ただし、他の通信システムも使用されうる。９０２で示されているように、ＵＥ６１０は、スケジュールされているとおりにデータを送信するために通信チャネルにアクセスすることを決定しうる。例えば、Ｍ２Ｍデバイスは、データを周期的に送信するように構成されうる。９０４で示されているように、ＵＥ６１０は、補助チャネル（ＳＣＨ）アベイラビリティ情報メッセージを受信しうる。この例では、ＳＣＨアベイラビリティ情報メッセージは、ＳＣＨアベイラビリティビットがゼロに設定されて、ＳＣＨが利用できないことを示している。図８に関して前述したように、ＳＣＨアベイラビリティ情報メッセージは、周期的に送信される、ＵＥ６１０がそれをモニタするように構成された、専用のＳＣＨアベイラビリティメッセージでありうる。他の態様では、ＳＣＨアベイラビリティメッセージは、ＳＣＨのアベイラビリティをシグナリングするため、新しいフィールドが追加または付加されたジェネラル・ページ・メッセージ（ＧＰＭ）でありうる。
【００６１】
[0071]９０６で示されているように、ＳＣＨが利用可能でないと判定すると、ＵＥ６１０はバックオフを行う。再び、ＵＥ６１０は、スリープ状態に入り、送信を遅延させるための許容される時間間隔を示すためにバックオフ・タイマーが開始される。９０８で示されているように、ＵＥ６１０は、ＳＣＨアベイラビリティビットがゼロに設定された、別のＳＣＨアベイラビリティ情報メッセージを受信する。次いで、ＵＥ６１０は、バックオフ・タイマーがまだ満了していないので、９１０で示されているように、別のバックオフを行い、スリープ状態に入る。次のアウェイク期間に入ると、９１２で示されているように、ＵＥ６１０は、さらに別のＳＣＨアベイラビリティ情報メッセージを受信する。メッセージは、再び、ＳＣＨが利用可能でないことを示す。９１４で示されているように、バックオフ・タイマーは満了した。したがって、９１６で示されているように、ＵＥ６１０は最善の試行オプションでＳＣＨにアクセスすることを決定しうる。すなわち、９１８で示された開始メッセージを送信する際、ＵＥ６１０は、ＳＣＨアベイラビリティ情報メッセージがＳＣＨが利用可能でないことを示す場合でも、ＳＣＨを要求しうる。９２０で示されているように、ノードＢ６２０は、ＵＥ６１０がＦＣＨを割り当てられていることを示すメッセージをＵＥ６１０に送信する。
【００６２】
[0072]図１０は、Ｍ２Ｍデータ送信などのデータ送信を最適化するための方法１０００を図示するフローチャートである。いくつかの態様では、方法１０００は、図６で図示されたノードＢ６２０などのノードＢまたは基地局によって実施されうる。１００２で示されているように、ノードＢは、第２の通信チャネルよりも高いデータ・レートを有する第１の通信チャネルのアベイラビリティを示すインジケータを周期的に送信しうる。いくつかの態様では、例えば、ノードＢ６２０の通信コンポーネント６２２は、周期的に送信される、ＭＳがそれをモニタするように構成された、専用のＳＣＨアベイラビリティメッセージを介してインジケータを送信しうる。他の態様では、例えば、ノードＢ６２０の通信コンポーネント６２２は、ＳＣＨのアベイラビリティをシグナリングするため、新しいフィールドが追加または付加されたジェネラル・ページ・メッセージ（ＧＰＭ）を介してインジケータを送信しうる。
【００６３】
[0073]１００４で示されているように、ノードＢは、第１の通信チャネルにアクセスするための要求を受信しうる。いくつかの態様では、例えば、ノードＢ６２０の通信コンポーネント６２２は、ＵＥからの開始メッセージでありうる、要求を受信する。１００６で示されているように、ノードＢは、要求元デバイスに関連付けられたクラス値に基づいて、第１の通信チャネルへのアクセスを許可すべきかどうかを判定しうる。いくつかの態様では、例えば、ノードＢ６２０の通信コンポーネント６２２は、例えば、要求元デバイスに関連付けられたクラス値がアクセスを許可するためのしきい値を満たすかどうか評価することに基づいて、第１の通信チャネルへのアクセスを許可すべきかどうかを判定するアルゴリズムを実行しうる。
【００６４】
[0074]図１１は、いくつかの態様による通信のための方法１１００を示すフローチャートである。方法は、例えば、図６に示されたＵＥ６１０などのＵＥまたは移動局によって実施されうる。１１０２で示されているように、ＵＥ６１０は、ＩＤＬＥスリープ状態において開始し得、１１０４で示されているように、データを送信するために通信チャネルにアクセスすることを決定しうる。１１０６で示されているように、ＵＥ６１０は、ＳＣＨがデータを送信するために必要とされているかどうかを判定しうる。例えば、ＵＥ６１０は、送信されるべきデータのサイズに基づいてＳＣＨが必要とされているかどうかを判定しうる。他の因子も考慮されうる。１１０８で示されているように、ＳＣＨが必要とされているとＵＥ６１０が決定した場合、ＵＥ６１０はＳＣＨアベイラビリティメッセージをモニタする。ＳＣＨアベイラビリティメッセージを受信すると、１１１０で示されているように、ＵＥ６１０は、ＳＣＨが利用可能であるかどうかを判定する。
【００６５】
[0075]ＳＣＨが利用可能ではない場合、１１１２で示されているように、ＵＥ６１０は、次のアウェイク期間までＵＥ６１０がデータを保持できるかどうかを判定する。例えば、ＵＥ６１０は、データがスケジュールどおりに送信されなければならない時間的制約のあるデータかどうかを判定しうる。いくつかの態様では、ＵＥ６１０は、また、データを送信するのを待つことを許容された時間量を制限するバックオフ・タイマーが満了したかどうかを判定しうる。１１１４で示されているように、ＵＥ６１０がデータは待機が可能であると判定する場合、ＵＥ６１０は、スケジュールされた次のアウェイク期間までスリープ状態に入り、ＵＥ６１０は再びＳＣＨアベイラビリティメッセージをモニタすることになる。ＵＥ６１０がデータは待機可能でないと判定する場合、ＵＥ６１０はＳＣＨ要求を含む開始メッセージ（origination message）を送信しうる。ＵＥ６１０がステップ１１０６でＳＣＨが必要とされていないと判定した場合、１１１８で示されているように、ＵＥ６１０は、ＦＣＨ要求を含む開始メッセージを送信しうる。開始メッセージを送信した後、１１２０で示されているように、ＵＥ６１０はトラフィック状態に入る。
【００６６】
[0076]一使用事例では、例えば、データ送信を最適化するためのシステムおよび方法は、データを送信するために、開始メッセージにおいて補助チャネル（ＳＣＨ）へのアクセスを要求しうるマシンツーマシン（Ｍ２Ｍ）デバイスを含みうる。しかし、補助チャネルは、通常はデータを送信するための基本チャネルよりも高いデータ・レートを有しており、利用不可能な場合がある。通常のＭ２Ｍデバイスは、ＳＣＨよりもＦＣＨでは同じ量のデータを送信するのにより多くの時間を費やす場合があり、その結果、より長い時間期間にわたってモデムをオンにしておくことによって、デバイスにより多くの電力を使用させる。したがって、本態様によれば、Ｍ２Ｍデバイスは、電力を節約するためにＳＣＨアベイラビリティについて通知されうる。Ｍ２Ｍデバイスが送信すべきデータを有する時にＳＣＨが利用可能でない場合、Ｍ２Ｍデバイスはスリープ・モードに入り、スケジュールされた次のアウェイク期間中に再びアベイラビリティをチェックしうる。Ｍ２Ｍデバイスは、設定可能なバックオフ期間の間、このスリープおよびチェック・サイクルを繰り返すことができる。バックオフ期間とは、ＳＣＨが利用可能になるのをデバイスが待つことが許される時間期間またはサイクル数を示し得る。バックオフ期間が満了してもまだＳＣＨが利用可能ではない場合、Ｍ２Ｍデバイスは、当該送信がＦＣＨの使用を要求する場合でも、その時点でデータを送信しうる。
【００６７】
[0077]遠隔通信システムのいくつかの態様について、ＣＤＭＡ２０００  １ｘシステムを参照して提示した。当業者ならば容易に理解されるように、この開示全体を通して記述された種々の態様は、他の遠隔通信システム、ネットワーク・アーキテクチャ、および通信規格に拡張されることができる。
【００６８】
[0078]一例として、種々の態様は、Ｗ−ＣＤＭＡ、ＴＤ−ＳＣＤＭＡ、高速ダウンリンク・パケット・アクセス（ＨＳＤＰＡ）、高速アップリンク・パケット・アクセス（ＨＳＵＰＡ）、高速パケット・アクセス・プラス（ＨＳＰＡ＋）、およびＴＤ−ＣＤＭＡなどの他のＵＭＴＳシステムに拡張されうる。種々の態様はさらに、ロング・ターム・エボリューション（ＬＴＥ）（ＦＤＤ、ＴＤＤ、または両方のモードで）、ＬＴＥアドバンスト（ＬＴＥ−Ａ）（ＦＤＤ、ＴＤＤ、または両方のモードで）、ＣＤＭＡ２０００、エボリューション−データ最適化（ＥＶ−ＤＯ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、超広帯域ワイヤレス（ＵＷＢ）、ブルートゥース、および／または他の適したシステムを採用するシステムにも拡張されうる。採用される実際の遠隔通信規格、ネットワーク・アーキテクチャ、および／または通信規格は、特定の用途およびシステムに課される全体の設計制約により異なる。
【００６９】
[0079]開示の種々の態様により、要素、または要素のいずれかの部分、あるいは要素の組み合わせは、１つまたは複数のプロセッサを含む「処理システム」とともに実装されうる。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラム可能論理回路（ＰＬＤ）、状態マシン、ゲート・ロジック、ディスクリート・ハードウェア回路、および本開示全体で記述された種々の機能を行うように構成された他の適したハードウェアを含んでいる。処理システムの１つまたは複数のプロセッサがソフトウェアを実行しうる。ソフトウェアは、ソフトウェア、ファームウェア、ミドルウェア、マイクロコード、ハードウェア記述言語、またはその他として呼ばれているかどうかに関係なく、命令、命令セット、コード、コード・セグメント、プログラム・コード、プログラム、サブプログラム、ソフトウェア・モジュール、アプリケーション、ソフトウェア・アプリケーション、ソフトウェア・パッケージ、ルーチン、サブルーチン、オブジェクト、実行可能ファイル、実行スレット、プロシージャ、ファンクションなどを意味するために広く解釈されるべきである。ソフトウェアは、コンピュータ可読媒体に存在しうる。コンピュータ可読媒体は、非一時的コンピュータ可読媒体としうる。非一時的コンピュータ可読媒体は、例示的な方法で、磁気記憶デバイス（例えば、ハードディスク、フロッピー（登録商標）・ディスク、マグネット・ストライプ）、光ディスク（例えば、コンパクト・ディスク（ＣＤ）、デジタル多用途ディスク（ＤＶＤ））、スマート・カード、フラッシュ・メモリ・デバイス（例えば、カード、スティック、キー・ドライブ）、ランダム・アクセス・メモリ（ＲＡＭ）、読み取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスター、リムーバブル・ディスク、ならびにコンピュータからアクセスおよび読み取りされうるソフトウェアおよび／または命令を保存するための他のいずれかの適した媒体を含んでいる。コンピュータ可読媒体はさらに、例示的な方法で、搬送波、伝送回線、およびコンピュータからアクセスおよび読み取りされうるソフトウェアおよび／または命令を送信するための他のいずれかの適した媒体も含みうる。コンピュータ可読媒体は、処理システムに存在したり、処理システムの外部にあったり、または処理システムを含む複数のエンティティ全体に分散されうる。コンピュータ可読媒体は、コンピュータ・プログラム製品に組み込みうる。例示的な方法で、コンピュータ・プログラム製品は、包装材料のコンピュータ可読媒体を含みうる。当業者ならば、特定の用途およびシステムに課される全体の設計制約に応じて、本開示全体で提示され、記述された機能を実装するための最善の方法を認識されるであろう。
【００７０】
[0080]開示された方法における諸ステップの具体的な順序または階層は、例示的プロセスを示したものであることを理解されたい。設計の選択に基づいて、方法のステップの特定の順序または階層は再配列されうることを理解されたい。方法に関する請求項は、サンプルとしての順序で様々なステップの要素を提示しており、特に言及していない限り、提示された順序または階層に限定することを意味するものではない。
【００７１】
[0081]以上の説明は、当業者が本明細書に記載された様々な態様を実施できるように提示したものである。これらの態様に対する様々な変更が、当業者には容易に明らかであり、そして、本明細書で定義された一般原理は他の態様にも適用されうる。したがって、特許請求の範囲は、本明細書で示された態様だけに限定することを意図したものではく、特許請求の範囲の文言と矛盾しないすべての範囲が認められるべきであり、単数形での要素への言及は、特に指定のない限り、「１つかつ唯一」ではなく、「１つまたは複数」を意味することが意図されている。特に指定のない限り、「いくつかの」という用語は、１つまたは複数を指す。項目のリストの「のうちの少なくとも１つ」に言及する表現は、単一の要素を含む、当該項目のいずれかの組み合わせを指す。例として、「ａ、ｂ、またはｃのうちの少なくとも１つ」は、ａ、ｂ、ｃとａ、ｂとａ、ｃとｂ、ｃとａとｂとｃに及ぶことが意図されている。当業者に知られている、または後で知られるようになる本開示全体で記述された種々の態様の要素のすべての構造的または機能的等価物は、参照によって本明細書に明確に引用したものとし、特許請求の範囲によって包含されることが意図されている。さらに、本明細書で開示した事項のいずれも、そのような開示が特許請求の範囲に明記されたかどうかに関わらず、公衆に開放することを意図したものではない。どの請求項の要素も、要素が「のための手段（ｍｅａｎｓ  ｆｏｒ）」というフレーズを使用して明記されていない限り、または方法クレームの場合には要素が「のためのステップ（ｓｔｅｐ  ｆｏｒ）」というフレーズを使用して記載されていない限り、米国特許法３５Ｕ．Ｓ．Ｃ．§１１２の第６パラグラフの下で解釈されるべきではない。
以下に、本願の出願当初請求項に記載された発明を付記する。
［Ｃ１］
データ送信を最適化するための方法であって、
第１の通信チャネルのアベイラビリティを示すインジケータを受信することであって、前記第１の通信チャネルは第２の通信チャネルよりも高いデータ・レートを有する、受信することと、
前記インジケータに基づいて前記第１の通信チャネルがデータの送信に利用可能であるかどうかを判定することと、
前記第１の通信チャネルが利用可能であると判定すると、前記第１の通信チャネルを介して前記データを送信することと、
前記第１の通信チャネルが利用可能でないと判定すると、スリープ状態に入り、後続のアウェイク期間中に前記第１の通信チャネルが利用可能になったかどうかを判定することと、を備え、
スリープ状態に入り、後続のアウェイク期間中に前記第１の通信チャネルが利用可能になったかどうかを判定することが、前記第１の通信チャネルが利用可能になるまで、またはバックオフ・タイマーの満了まで行われる、方法。
［Ｃ２］
前記第１の通信チャネルは、ＣＤＭＡ２０００  １ｘ通信システムにおける補助チャネルであり、前記第２の通信チャネルは、基本チャネルである、上記Ｃ１に記載の方法。
［Ｃ３］
前記第１の通信チャネルは前記第２の通信チャネルよりも多くの電力を必要とする、上記Ｃ１に記載の方法。
［Ｃ４］
スリープ状態に入り、後続のアウェイク期間中に前記第１の通信チャネルが利用可能になったかどうかを判定することは、前記第１の通信チャネルが利用可能になるまでデータ送信を遅延させることをさらに含む、上記Ｃ１に記載の方法。
［Ｃ５］
前記バックオフ・タイマーが満了し、前記第１の通信チャネルが利用可能になっていないことを判定すると、前記第２の通信チャネルを介して前記データを送信することをさらに備える、上記Ｃ１に記載の方法。
［Ｃ６］
前記インジケータは前記第２の通信チャネルを介して受信される、上記Ｃ１に記載の方法。
［Ｃ７］
前記インジケータは、前記第１の通信チャネルに関連付けられたチャネルアベイラビリティメッセージにおいて周期的に受信される、上記Ｃ１に記載の方法。
［Ｃ８］
前記インジケータは、ジェネラル・ページ・メッセージに付加されたフィールドにおいて周期的に受信される、上記Ｃ１に記載の方法。
［Ｃ９］
前記第１の通信チャネルを使用してデータを送信することが、前記第２の通信チャネルを使用してデータを送信することよりも望ましい、上記Ｃ１に記載の方法。
［Ｃ１０］
前記バックオフ・タイマーの値が、前記データを送信することを求める第１のマシンと、前記第１のマシンに関連付けられたサーバーとの間でネゴシエートされる、上記Ｃ１に記載の方法。
［Ｃ１１］
前記バックオフ・タイマーの値が、前記データの前記送信を遅延させることに関連した電力トレードオフの量の関数である、上記Ｃ１に記載の方法。
［Ｃ１２］
アベイラビリティについての前記第１の通信チャネルの継続的なモニタリング、およびバックオフ期間についてデータの送信を遅延させることに関連した第１の電力値を計算することと、
前記第１の通信チャネルが利用可能でないと判定したときの前記第２の通信チャネルを介しての前記データの送信に関連した第２の電力値を計算することと、
電力トレードオフの前記量を決定するために、前記第１の電力値と前記第２の電力を比較することと、
をさらに備える、上記Ｃ１１に記載の方法。
［Ｃ１３］
データ送信を最適化するための装置であって、
第１の通信チャネルのアベイラビリティを示すインジケータを受信する手段であって、前記第１の通信チャネルは第２の通信チャネルよりも高いデータ・レートを有する、受信する手段と、
前記インジケータに基づいて前記第１の通信チャネルがデータの送信に利用可能であるかどうかを判定するための手段と、
前記第１の通信チャネルが利用可能であると判定すると、前記第１の通信チャネルを介して前記データを送信するための手段と、
前記第１の通信チャネルが利用可能でないと判定すると、スリープ状態に入り、後続のアウェイク期間中に前記第１の通信チャネルが利用可能になったかどうかを判定するための手段と、を備え、
スリープ状態に入り、後続のアウェイク期間中に前記第１の通信チャネルが利用可能になったかどうかを判定することが、前記第１の通信チャネルが利用可能になるまで、またはバックオフ・タイマーの満了まで行われる、装置。
［Ｃ１４］
前記第１の通信チャネルは、ＣＤＭＡ２０００  １ｘ通信システムにおける補助チャネルであり、前記第２の通信チャネルは、基本チャネルである、上記Ｃ１３に記載の装置。
［Ｃ１５］
前記インジケータは、前記第１の通信チャネルに関連付けられたチャネルアベイラビリティメッセージにおいて周期的に受信される、上記Ｃ１３に記載の装置。
［Ｃ１６］
前記バックオフ・タイマーの値が、前記データの前記送信を遅延させることに関連した電力トレードオフの量の関数である、上記Ｃ１３に記載の装置。
［Ｃ１７］
データ送信を最適化するための装置であって、
第１の通信チャネルのアベイラビリティを示すインジケータを受信することであって、前記第１の通信チャネルは第２の通信チャネルよりも高いデータ・レートを有する、受信することと、
前記インジケータに基づいて前記第１の通信チャネルがデータの送信に利用可能であるかどうかを判定することと、
前記第１の通信チャネルが利用可能であると判定すると、前記第１の通信チャネルを介して前記データを送信することと、
前記第１の通信チャネルが利用可能でないと判定すると、スリープ状態に入り、後続のアウェイク期間中に前記第１の通信チャネルが利用可能になったかどうかを判定することと、
を行うように構成された少なくとも１つのプロセッサであって、
スリープ状態に入り、後続のアウェイク期間中に前記第１の通信チャネルが利用可能になったかどうかを判定することが、前記第１の通信チャネルが利用可能になるまで、またはバックオフ・タイマーの満了まで行われ、
スリープ状態に入り、後続のアウェイク期間中に前記第１の通信チャネルが利用可能になったかどうかを判定することが、前記第１の通信チャネルが利用可能になるまで、またはバックオフ・タイマーの満了まで行われる、少なくとも１つのプロセッサと、
前記少なくとも１つのプロセッサに結合されたメモリとを備える、装置。
［Ｃ１８］
前記第１の通信チャネルは、ＣＤＭＡ２０００  １ｘ通信システムにおける補助チャネルであり、前記第２の通信チャネルは、基本チャネルである、上記Ｃ１７に記載の装置。
［Ｃ１９］
前記第１の通信チャネルは前記第２の通信チャネルよりも多くの電力を必要とする、上記Ｃ１７に記載の装置。
［Ｃ２０］
スリープ状態に入るように構成された、後続のアウェイク期間中に前記第１の通信チャネルが利用可能になったかどうかを判定する前記少なくとも１つのプロセッサは、前記第１の通信チャネルが利用可能になるまでデータ送信を遅延させるように構成された少なくとも１つのプロセッサをさらに含む、上記Ｃ１７に記載の装置。
［Ｃ２１］
前記バックオフ・タイマーが満了し、前記第１の通信チャネルが利用可能になっていないことを判定すると、前記第２の通信チャネルを介して前記データを送信するように構成された少なくとも１つのプロセッサをさらに備える、上記Ｃ１７に記載の装置。
［Ｃ２２］
前記インジケータは前記第２の通信チャネルを介して受信される、上記Ｃ１７に記載の装置。
［Ｃ２３］
前記インジケータは前記第１の通信チャネルに関連付けられたチャネルアベイラビリティメッセージにおいて周期的に受信される、上記Ｃ１７に記載の装置。
［Ｃ２４］
前記インジケータはジェネラル・ページ・メッセージに付加されたフィールドにおいて周期的に受信される、上記Ｃ１７に記載の装置。
［Ｃ２５］
前記第１の通信チャネルを使用してデータを送信することが、前記第２の通信チャネルを使用してデータを送信することよりも望ましい、上記Ｃ１７に記載の装置。
［Ｃ２６］
前記バックオフ・タイマーの値が、前記データを送信することを求める第１のマシンと、前記第１のマシンに関連付けられたサーバーとの間でネゴシエートされる、上記Ｃ１７に記載の装置。
［Ｃ２７］
前記バックオフ・タイマーの値が、前記データの前記送信を遅延させることに関連した電力トレードオフの量の関数である、上記Ｃ１７に記載の装置。
［Ｃ２８］
アベイラビリティについての前記第１の通信チャネルの継続的なモニタリング、およびバックオフ期間についてデータの送信を遅延させることに関連した第１の電力値を計算することと、
前記第１の通信チャネルが利用可能でないと判定したときの前記第２の通信チャネルを介しての前記データの送信に関連した第２の電力値を計算することと、
電力トレードオフの前記量を決定するために、前記第１の電力値と前記第２の電力を比較することと、を行うように構成された少なくとも１つのプロセッサをさらに備える、上記Ｃ１７に記載の装置。
［Ｃ２９］
データ送信を最適化するためのコンピュータ・プログラム製品であって、
第１の通信チャネルのアベイラビリティを示すインジケータを受信することであって、前記第１の通信チャネルは第２の通信チャネルよりも高いデータ・レートを有する、受信することと、
前記インジケータに基づいて前記第１の通信チャネルがデータの送信に利用可能であるかどうかを判定することと、
前記第１の通信チャネルが利用可能であると判定すると、前記第１の通信チャネルを介して前記データを送信することと、
前記第１の通信チャネルが利用可能でないと判定すると、スリープ状態に入り、後続のアウェイク期間中に前記第１の通信チャネルが利用可能になったかどうかを判定することと、
のためのコードを備える非一時的コンピュータ可読媒体を備え、
スリープ状態に入り、後続のアウェイク期間中に前記第１の通信チャネルが利用可能になったかどうかを判定することが、前記第１の通信チャネルが利用可能になるまで、またはバックオフ・タイマーの満了まで行われる、コンピュータ・プログラム製品。
［Ｃ３０］
前記第１の通信チャネルは、ＣＤＭＡ２０００  １ｘ通信システムにおける補助チャネルであり、前記第２の通信チャネルは、基本チャネルである、上記Ｃ２９に記載のコンピュータ・プログラム製品。
［Ｃ３１］
前記インジケータは、前記第１の通信チャネルに関連付けられたチャネルアベイラビリティメッセージにおいて周期的に受信される、上記Ｃ３７に記載のコンピュータ・プログラム製品。
［Ｃ３２］
前記バックオフ・タイマーの値が、前記データの前記送信を遅延させることに関連した電力トレードオフの量の関数である、上記Ｃ２９に記載のコンピュータ・プログラム製品。
［Ｃ３３］
データ送信を最適化するための方法であって、
第１の通信チャネルのアベイラビリティを示すインジケータを周期的に送信することであって、前記第１の通信チャネルは第２の通信チャネルよりも高いデータ・レートを有する、周期的に送信することと、
前記第１の通信チャネルへのアクセスに関する要求を受信することと、
前記要求を送信したデバイスに関連付けられたクラス値に基づいて、前記第１の通信チャネルへのアクセスを許可すべきかどうかを判定することと、
を備える方法。
［Ｃ３４］
前記インジケータを周期的に送信することが、前記第１の通信チャネルに関連付けられたチャネルアベイラビリティメッセージを生成し、送信することを含む、上記Ｃ３３に記載の方法。
［Ｃ３５］
前記インジケータを周期的に送信することが、既存のメッセージにフィールドを付加することを含み、前記フィールドは前記第１の通信チャネルのアベイラビリティを示す、上記Ｃ３３に記載の方法。
［Ｃ３６］
データ送信を最適化するための装置であって、
第１の通信チャネルのアベイラビリティを示すインジケータを周期的に送信するための手段であって、前記第１の通信チャネルは第２の通信チャネルよりも高いデータ・レートを有する、周期的に送信するための手段と、
前記第１の通信チャネルへのアクセスに関する要求を受信するための手段と、
前記要求を送信したデバイスに関連付けられたクラス値に基づいて、前記第１の通信チャネルへのアクセスを許可すべきかどうかを判定するための手段と、を備える装置。
［Ｃ３７］
前記インジケータを周期的に送信するための前記手段が、前記第１の通信チャネルに関連付けられたチャネルアベイラビリティメッセージを生成および送信するための手段を含む、上記Ｃ３６に記載の装置。
［Ｃ３８］
前記インジケータを周期的に送信するための前記手段が、既存のメッセージにフィールドを付加するための手段を含み、前記フィールドは前記第１の通信チャネルのアベイラビリティを示す、上記Ｃ３６に記載の方法。
［Ｃ３９］
データ送信を最適化するための装置であって、
第１の通信チャネルのアベイラビリティを示すインジケータを周期的に送信することであって、前記第１の通信チャネルは第２の通信チャネルよりも高いデータ・レートを有する、周期的に送信することと、
前記第１の通信チャネルへのアクセスに関する要求を受信することと、
前記要求を送信したデバイスに関連付けられたクラス値に基づいて、前記第１の通信チャネルへのアクセスを許可すべきかどうかを判定することと、
を行うように構成された少なくとも１つのプロセッサと、
前記少なくとも１つのプロセッサに結合されたメモリと、を備える装置。
［Ｃ４０］
前記インジケータを周期的に送信するように構成された前記プロセッサは、前記第１の通信チャネルに関連付けられたチャネルアベイラビリティメッセージの生成および送信を行うように構成されたプロセッサを含む、上記Ｃ３９に記載の装置。
［Ｃ４１］
前記インジケータを周期的に送信するように構成されたプロセッサが、既存のメッセージにフィールドを付加するように構成されたプロセッサを含み、前記フィールドは前記第１の通信チャネルのアベイラビリティを示す、上記Ｃ３９に記載の方法。
［Ｃ４２］
データ送信を最適化するためのコンピュータ・プログラム製品であって、
第１の通信チャネルのアベイラビリティを示すインジケータを周期的に送信することであって、前記第１の通信チャネルは第２の通信チャネルよりも高いデータ・レートを有する、周期的に送信することと、
前記第１の通信チャネルへのアクセスに関する要求を受信することと、
前記要求を送信したデバイスに関連付けられたクラス値に基づいて、前記第１の通信チャネルへのアクセスを許可すべきかどうかを判定することと、のためのコードを備える非一時的コンピュータ可読媒体を備える、コンピュータ・プログラム製品。
［Ｃ４３］
前記インジケータを周期的に送信するための前記コードは、前記第１の通信チャネルに関連付けられたチャネルアベイラビリティメッセージを生成および送信するためのコードを含む、上記Ｃ４２に記載のコンピュータ・プログラム製品。
［Ｃ４４］
前記インジケータを周期的に送信するための前記コードは、既存のメッセージにフィールドを付加するためのコードを含み、前記フィールドは前記第１の通信チャネルのアベイラビリティを示す、上記Ｃ４２に記載のコンピュータ・プログラム製品。
【図１】
0005956057.tif 000002
【図２】
0005956057.tif 000003
【図３】
0005956057.tif 000004
【図４】
0005956057.tif 000005
【図５】
0005956057.tif 000006
【図６】
0005956057.tif 000007
【図７】
0005956057.tif 000008
【図８】
0005956057.tif 000009
【図９】
0005956057.tif 000010
【図１０】
0005956057.tif 000011
【図１１】
0005956057.tif 000012